(57)【要約】【課題】いかなる体形の着用者に対しても、装着性、フィット性に優れ、特に脚周りからの漏れ防止効果の優れた使いすておむつの提供。【解決手段】液透過性の表面シートと、液不透過性の裏面シートと、これら両シートの間に配置された吸収体とからなり、前身頃と、後身頃と、これら前後身頃の間に位置する股下部とを有し、少なくとも前記後身頃の両側縁部には一対のサイドフラップが形成された使いすておむつにおいて、前記後身頃の各々のサイドフラップの側縁部には少なくとも２個のファスニングテープが配置されており、前記ファスニングテープの各々には前記前身頃と後身頃を締結するための締結手段が形成されており、さらに、ファスニングテープの各々には前記締結手段を形成した面とは反対側の面に前記締結手段を着脱可能に固定するためのターゲットゾーンが形成されていることを特徴とする使いすておむつ。【選択図】    図１
2004201894.tif 000002
【特許請求の範囲】
【請求項１】
液透過性の表面シートと、液不透過性の裏面シートと、これら両シートの間に配置された吸収体とからなり、前身頃と、後身頃と、これら前後身頃の間に位置する股下部とを有し、少なくとも前記後身頃の両側縁部には一対のサイドフラップが形成された使いすておむつにおいて、
前記後身頃の各々のサイドフラップの側縁部には少なくとも２個のファスニングテープが配置されており、前記ファスニングテープの各々には前記前身頃と後身頃を締結するための締結手段が形成されており、さらに、ファスニングテープの各々には前記締結手段を形成した面とは反対側の面に前記締結手段を着脱可能に固定するためのターゲットゾーンが形成されていることを特徴とする使いすておむつ。
【請求項２】
前記ファスニングテープのうち、おむつの長手方向端縁側に最も近い位置のテープはおむつの幅方向に平行に配置され、股下部側に最も近い位置のテープはおむつの幅方向に平行な線に対して１０〜６０°の角度で上向きに配置されていることを特徴とする請求項１記載の使いすておむつ。
【請求項３】
前記ファスニングテープは、前記後身頃のサイドフラップの側縁部に配置された広幅のテープをおむつの幅方向に延びる切込み部によって二分して形成された、おむつの長手方向端縁側に位置する第１ファスニングテープと、股下部側に位置する第２ファスニングテープとからなることを特徴とする請求項１記載の使いすておむつ。
【請求項４】
前記切込み部がおむつの幅方向に平行に形成されていることを特徴とする請求項３記載の使いすておむつ。
【請求項５】
前記切込み部が、おむつの幅方向に平行な線に対して１０〜６０°の角度で前記おむつの股下部の方向に斜めに形成されていることを特徴とする請求項３記載の使いすておむつ。
【請求項６】
前記切込み部の端部には、テープが引裂かれるのを防止するための引裂き防止手段が形成されていることを特徴とする請求項３〜請求項５のいずれか１項に記載の使いすておむつ。
【請求項７】
前記締結手段がメカニカルファスニングシステムのフック材からなることを特徴とする請求項１〜請求項６のいずれか１項に記載の使いすておむつ。
【請求項８】
前記締結手段が粘着剤からなることを特徴とする請求項１〜請求項６のいずれか１項に記載の使いすておむつ。
【請求項９】
前記締結手段がメカニカルファスニングシステムのフック材と粘着剤との組み合わせからなることを特徴とする請求項１〜請求項６のいずれか１項に記載の使いすておむつ。
【発明の詳細な説明】
【０００１】
【発明の属する技術分野】
本発明は、使いすておむつに関するものであり、さらに詳しくは、本発明は、装着性、フィット性に優れ、特に脚周りからの漏れ防止効果に優れたテープ型使いすておむつに関するものである。
【０００２】
【従来の技術】
一般的に、おむつ交換時における介護者の作業負担は非常に大きく、また被介護者にとっても、肉体的・精神的に大きな負担を伴なうものである。さらに、着用者の排泄によりおむつから排泄物が漏れ出した場合には、おむつの交換だけでなく、着衣、シーツ等までも交換が必要となり、介護者にとって手間がかかるだけでなく、経済的にも非常に大きな負担となる。また、被介護者にとっても肉体的、精神的な負担はさらに大きなものとなることから、漏れに対する改善が強く望まれている。
【０００３】
また、使いすておむつの場合、漏れやすい箇所の一つとして脚周りがあげられる。特にテープ型使いすておむつでは、着用者が、怪我などによる一時的な着用から、麻痺、病気等による長期の寝たきり等、様々であることから、胴周り太さは同じでも脚周り太さは個人差が大きく、着用者によっては脚周りにすきまが生じやすく、漏れが生じ易い状態になっている場合がある。
【０００４】
一般に、テープ型使いすておむつには、その後身頃の両側縁部に粘着剤、あるいは、メカニカルファスニングシステム等からなる締結手段を有するファスニングテープが設けられており、おむつの装着時にこのファスニングテープによりおむつの後身頃と前身頃とを締結できるように構成されている。テープ型使いすておむつのファスニングテープは、通常左右に１個ずつ、または複数個ずつ取り付けられており、前者は新生児用、乳幼児用の使いすておむつに多く、後者は大人用の使いすておむつに多く見られる。
【０００５】
従来のテープ型使いすておむつでは、後身頃両側縁部に複数個のファスニングテープを取付けた場合には、それらは全ておむつの縦方向に対して直角に取り付けられていた。そのために、おむつ装着時には、腰周り部側に取り付けたファスニングテープは、おむつの縦方向に対してほぼ直角方向にある後身頃と前身頃の合わせ目を使用者の身体にフィットするように締結することができるが、脚周り部側に取り付けられたファスニングテープは、そのまま配置方向に引っ張って締結させると、着用者の脚周りにおけるフィット性が不十分であり、おむつと着用者の身体の間にすきまが生じやすいものであった。
【０００６】
特に長期間寝たままの状態にある着用者の場合、痩せて腰周り、脚周りが細くなり腰骨が張り出していることが多く、このような着用者におむつをフィットさせるためにファスニングテープを締結させようとすると、特に脚周り部側のファスニングテープを取り付け方向とは異なる角度、すなわちやや上方向に引っ張る必要がある。しかしながら、ファスニングテープがおむつ縦方向に対して直角に配置されていると、上手く上方向に引っ張って締結させることが難しく、その結果、着用者とおむつの間にすきまが生じやすくなり、漏れやすくなる。
【０００７】
このように、おむつを着用者にしっかりと装着しにくいということは、使用中におむつが着用者の身体から容易に弛んだりずり落ちたりすることにもつながることになる。この弛みとずり落ちは、着用者が歩いたり、姿勢を変える等の動きや、排泄物の負荷を受けた時に生じる下方向の力等により引き起こされると考えられるが、おむつの装着状態が身体にフィットしていないと、弛みやずり落ちも容易に、且つ、大きく生じることとなり、早期の漏れの一因になる。
【０００８】
これらの問題点を解決するためにさまざまな提案がなされており、例えば、後身頃両側縁にファスニングテープを２個ずつ配置し、その両方を下向きに配置した使いすておむつや（特許文献１参照）、脚周り開口部側に位置するファスニングテープをおむつ横軸方向に対して上部方向に４５度までの角度を持って斜めに取り付けた使いすておむつ（特許文献２参照）が提案されている。
【０００９】
また、後身頃左右のサイドフラップの側縁に２個の締結手段を取り付け、締結手段の間のサイドフラップにおむつの横方向、あるいは股下方向に斜めにスリットを形成し、着用者へのフィット性の改善を図った使いすておむつ（特許文献３及び特許文献４参照）、あるいは、おむつの後身頃の両側縁部にウイングを取付け、ウイングを二分してそれぞれに係合手段を形成した使い捨ておむつ（特許文献５参照）が提案されている。
【００１０】
【特許文献１】
実願昭５２−１２２０４号（実開昭５３−１１００３５）明細書（第３頁２行〜５頁３行、図１）
【特許文献２】
実用新案登録第２５７６９３０号（第４欄４８行〜６欄４行、図１〜図３）
【特許文献３】
特開昭６２−２６８８０２号公報（第４頁右上欄２行〜５頁左上欄１９行、図１〜図３）
【特許文献４】
特開平７−２２７４０３号公報（第５欄３行〜４２行、図１）
【特許文献５】
特開平１１−９９１７８号公報（第２頁右欄８行〜３５行、図１）
【００１１】
【発明が解決しようとする課題】
一般に、上記特許文献１〜５に記載されている従来の一方の側縁部にファスニングテープ（締結手段）を２個取付けたテープ型使いすておむつでは、着用者におむつをフィットさせる場合、おむつが着用者の身体に密着する方向にファスニングテープを引張り、これをフロントパッチ等のターゲットゾーンに止着して固定している。
【００１２】
しかしながら、着用者の体形によっては、一方のファスニングテープの上にもう一方のファスニングテープが重なる方向にファスニングテープを引張る必要が生じる場合があるが、上記従来のテープ型使いすておむつでは、ファスニングテープの締結手段を設けた面とは反対側の面に締結手段を固定するためのターゲットゾーンが設けられていないため、このような場合には、一方のファスニングテープの上に位置するもう一方のファスニングテープを固定することができないため、おむつを着用者に十分にフィットさせることができないものであった。
【００１３】
本発明は、上記従来のテープ型使いすておむつの有する問題点を解決し、いかなる体形の着用者に対しても、装着性、フィット性に優れ、特に脚周りからの漏れ防止効果の優れたテープ型使いすておむつを提供することにある。
【００１４】
【課題を解決するための手段】
上記の従来の使いすておむつの有する問題点を解決するための本発明は、以下の各発明を包含する。
（１）液透過性の表面シートと、液不透過性の裏面シートと、これら両シートの間に配置された吸収体とからなり、前身頃と、後身頃と、これら前後身頃の間に位置する股下部とを有し、少なくとも前記後身頃の両側縁部には一対のサイドフラップが形成された使いすておむつにおいて、
前記後身頃の各々のサイドフラップの側縁部には少なくとも２個のファスニングテープが配置されており、前記ファスニングテープの各々には前記前身頃と後身頃を締結するための締結手段が形成されており、さらに、ファスニングテープの各々には前記締結手段を形成した面とは反対側の面に前記締結手段を着脱可能に固定するためのターゲットゾーンが形成されていることを特徴とする使いすておむつ。
【００１５】
（２）前記ファスニングテープのうち、おむつの長手方向端縁側に最も近い位置のテープはおむつの幅方向に平行に配置され、股下部側に最も近い位置のテープはおむつの幅方向に平行な線に対して１０〜６０°の角度で上向きに配置されていることを特徴とする（１）項記載の使いすておむつ。
【００１６】
（３）前記ファスニングテープは、前記後身頃のサイドフラップの側縁部に配置された広幅のテープをおむつの幅方向に延びる切込み部によって二分して形成された、おむつの長手方向端縁側に位置する第１ファスニングテープと、股下部側に位置する第２ファスニングテープとからなることを特徴とする（１）項記載の使いすておむつ。
【００１７】
（４）前記切込み部がおむつの幅方向に平行に形成されていることを特徴とする（３）項記載の使いすておむつ。
【００１８】
（５）前記切込み部が、おむつの幅方向に平行な線に対して１０〜６０°の角度で前記おむつの股下部の方向に斜めに形成されていることを特徴とする（３）項記載の使いすておむつ。
【００１９】
（６）前記切込み部が、おむつの幅方向に平行な線に対して１５〜４５°、さらに好ましくは３０〜４５°の角度で前記おむつの股下部の方向に斜めに形成されていることを特徴とする（３）項記載の使いすておむつ。
【００２０】
（７）前記切込み部の端部には、テープが引裂かれるのを防止するための引裂き防止手段が形成されていることを特徴とする（３）項〜（６）項のいずれかに記載の使いすておむつ。
【００２１】
（８）前記締結手段がメカニカルファスニングシステムのフック材からなることを特徴とする（１）項〜（７）項のいずれかに記載の使いすておむつ。
【００２２】
（９）前記締結手段が粘着剤からなることを特徴とする（１）項〜（７）項のいずれかに記載の使いすておむつ。
【００２３】
（１０）前記締結手段がメカニカルファスニングシステムのフック材と粘着剤との組み合わせからなることを特徴とする（１）項〜（７）項のいずれかに記載の使いすておむつ。
【００２４】
【発明の実施の形態】
本発明の使いすておむつは、後身頃のサイドフラップの両側縁部に少なくとも２個のファスニングテープが配置されており、前記ファスニングテープの各々には締結手段が形成されており、さらに、ファスニングテープの各々には、前記締結手段を形成した面とは反対側の面に前記締結手段を着脱可能に固定するターゲットゾーンが形成されている。
このような構成を有する本発明の使いすておむつは、ファスニングテープを引張っておむつを着用者の身体に密着させる場合、引張る方向がファスニングテープ同士が重なる方向であっても、ファスニングテープをしっかりと固定することができるため、いかなる体形の着用者に対しても良好にフィットさせることが可能であり、特に大腿部裏側から側部にかけて隙間が生じることがないので、簡便におむつを脚周りにフィットさせることができ、脚周りからの漏れが防止され、介護者及び被介護者の負担を軽減することができる。
【００２５】
この場合、おむつの長手方向端縁側に最も近い位置にあるファスニングテープをおむつの幅方向に平行に配置し、股下部側に最も近い位置にあるファスニングテープをおむつの幅方向に平行な線に対して１０〜６０°の角度で上向きに配置することが好ましい。ファスニングテープをこのように配置することにより、腰周りと脚周りのフィット性が良好となり、漏れ防止効果を向上させることができる。
【００２６】
また、本発明において、ファスニングテープとしては、前記後身頃のサイドフラップの側縁部に広幅のテープを配置し、前記テープをおむつの幅方向に延びる切込み部によって二分し、おむつの長手方向端縁側に位置する第１ファスニングテープと、股下部側に位置する第２ファスニングテープとから形成することができる。ファスニングテープをこのようにして形成することにより、２個のテープを各々サイドフラップの側縁部に配置する場合よりも効率良く使いすておむつを製造することができる。
【００２７】
この場合、ファスニングテープに形成される切込み部が、おむつの幅方向に平行な線に対して１０〜６０°の角度で股下部の方向に斜めに形成されていることが好ましく、１５〜４５°の角度で形成されていることがより好ましく、３０〜４５°の角度で形成されていることがさらに好ましい。切込み部をこの範囲の角度でおむつの股下部の方向に斜めに形成することにより、脚周りのフィット性が良好となり、漏れ防止効果を向上させることができる。
【００２８】
また、ファスニングテープに形成される切込み部の端部に、引裂き防止手段を形成することが好ましい。これにより、おむつ装着時にファスニングテープに不用意に大きな力が加わった場合でもテープが引裂かれるのを防止することができる。
【００２９】
本発明の使いすておむつは、液透過性の表面シートと、液不透過性の裏面シートと、これら両シートの間に配置された吸収体とから基本的に構成され、これらの材料は公知のものを特に制限無く用いることができるが、以下に、本発明において使用される材料について具体的に説明する。
【００３０】
液透過性表面シート
本発明において使用される表面シートは、坪量が１０〜４０ｇ／ｍ2 で、構成繊維の繊度が４デニール以下の親水性繊維からなる、液透過性の不織布、織布等が用いられ、ポリプロピレン、ポリエチレン、ポリエステル繊維等からなる不織布、織布が用いられる。または、ポリエステル、ポリプロピレン、ポリエチレン等の２成分以上からなる複合繊維等でも良く、特には、低融点ポリエステル／ポリエステル、ポリエステル／ポリエチレン、ポリプロピレン／ポリエチレン等の複合繊維が強度の面から好ましいが、特に制限をうけるものではない。
【００３１】
吸収体
本発明において使用される吸収体は、綿状パルプと高吸水性材料である高吸収性ポリマーからなり、さらに全体が親水性シ−トによりくるまれていても良い。また、綿状パルプに対して３〜６０重量％の熱融着性物質を混合して熱圧着してもよい。前記吸収体の構成は特に制限されるものではないが、例えば、綿状パルプを主成分とする単独層でも良く、綿状パルプに高吸収性ポリマーを均一に混合した層状のものでも良く、或いは綿状パルプを主成分とする２つの層の間に高吸収性ポリマーからなる均一な層を挟み込んだ構成であっても良い。
綿状パルプとしては、化学パルプシートもしくは、機械パルプシートを粉砕機で解繊することにより得られる繊維長５ｍｍ以下のものが用いられる。パルプ原料としては、針葉樹の他に、広葉樹、わら、竹およびケフナ等を用いることができる。また、パルプの使用量は、目的とする吸収体により、例えば、単独で用いるか、複数積層して用いるか、他の吸収材を併用するかなどにより異なるが、一般的には、５０〜４００ｇ／ｍ2 である。
【００３２】
高吸収性ポリマーとしては、デンプン系、セルロース系、合成ポリマー系のもの等が挙げられる。すなわち、デンプンーアクリル酸（塩）グラフト共重合体、デンプンーアクリル酸エチルグラフト共重合体のケン化物、デンプンーメタクル酸メチルグラフト共重合体のケン化物、デンプンーアクリロニトリルグラフト共重合体のケン化物、デンプンーアクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコールー無水マレイン酸反応物の架橋物などが使用できるが、この中で自重の２０倍以上の尿、体液及び水を吸収するもので、ポリアクリル酸ナトリウム系のものが吸収性能の点から最も適当である。高吸収性ポリマーの配合量は、綿状パルプの質量に対して１０〜５００％、好ましくは１５〜３００％であり、かかる量の高吸収性ポリマーが綿状パルプ中に実質的に均一に分布していると、高吸収性ポリマーが液体を吸収して膨潤したとき、その粒子は相互の干渉が最小にとどめられ、連続的に接触して透過障壁を形成することが少なく、尿や体液を３次元方向に良好に透過、吸収することができる。
【００３３】
また、熱融着性物質としては、綿状パルプと混合することを考えると繊維状のものが好ましい。熱融着性物質は、ポリプロピレン、ポリエチレン、ポリエステル、ポリビニリデン、アクリル樹脂、ナイロン樹脂等があげられる。または、ポリエステル、ポリプロピレン、ポリエチレン等の２成分以上からなる複合繊維等でも良く、特には、ポリエステル／ポリエステル、ポリエステル／ポリエチレン、ポリプロピレン／ポリエチレンの複合繊維が強度の面から好ましい。繊度は１〜５デニール程度が好ましく、繊維長は３〜３０ｍｍのものが綿状パルプと混合するのに好適であるが、特に制限をうけるものではない。これらを綿状パルプと混合し、一定の圧力で熱圧着することによって、熱融着性物質による骨格構造が形成され、湿潤時においても綿状パルプ層自体の強度を持つことが可能となる。熱圧着の方法は、熱プレスロール、熱風乾燥機、マイクロ波加熱機、赤外線ヒーター等により行うことができるが、特に制限されるものではなく、マット層に均一に熱が伝わり、熱融着性物質が融けて骨格構造を形成することが出来るものであれば良い。
【００３４】
吸収体の圧縮方法としては、周面が平滑なロールなどにより、吸収体の密度がその全体にわたり実質的に均等になるように連続する面状であってもよいし、周面が凹凸状であるロールなどにより、吸収体の密度が部分的に異なり、尿や体液を縦方向及び斜め方向に導く模様配列のエンボスであってもよい。エンボスの場合、圧縮部、非圧縮部は、連続、非連続のいずれであってもよい。
また、親水性シートとしては、ティシュ、吸収紙、親水性不織布等の親水性を有するシートを用いることができる。
【００３５】
液不透過性裏面シート
本発明において使用される液不透過性裏面シートは、薄く、液不透過性のプラスティックフィルムのウェブまたはシートからなる。プラスティックは、例えばポリエチレン、ポリプロピレン、ポリビニルクロライド、またはこれらと同様の材料や、ポリビニルアルコールをベースとするフィルムのウェブまたはシートなどの材料から形成することができる。バックシート材料は透明でも不透明でも良く、またエンボス加工した表面を有するようにすることもできる。また、ほぼ液不透過性になるようにつくられた不織布の繊維ウェブからつくることもできる。
さらに、前記液不透過性のプラスティックのウェブまたはシートに、ポリエチレン、ポリプロピレン、ポリエステル等の熱可塑性樹脂からなる不織布、織布、伸縮性不織布、或いは、ポリエチレン、ポリウレタン等のフィルムを貼合せても良い。
【００３６】
伸縮弾性部材
本発明において使用される伸縮弾性部材としては、ウレタンフィルム、ウレタン糸、ウレタンフォーム、糸ゴム等の通常の使いすておむつに使用される伸縮弾性部材を使用することができ、脚周り開口部、ウエスト周り開口部等に伸長状態で配置され、ホットメルト接着剤等により固定される。
【００３７】
ファスニングテープ
本発明において使用されるファスニングテープは、ポリオレフィンフィルム、ポリエステルフィルム、不織布等の通常使用される素材の他、伸縮性を有する素材により形成することができ、これらの素材を単独で使用して形成しても良く、複数の素材を組合わせて形成しても良い。
本発明において、ファスニングテープは、接合領域とこれに隣接する自由領域からなり、接合領域はおむつのサイドフラップ側縁部に接着固定され、自由領域には前身頃と後身頃を締結するための締結手段が形成され、さらに、締結手段を形成した面とは反対側の面の少なくとも一部には、締結手段を着脱可能に固定するためのターゲットゾーンが形成されている。
【００３８】
また、本発明において、広幅のテープに切込み部を設けてファスニングテープを形成する場合、切込み部は、スリット状に形成しても良く、Ｖ字状に形成しても良く、あるいはＵ字状に形成しても良く、特に限定されるものではない。
さらに、切込み部の端部には、必要に応じて、テープが引裂かれるのを防止するための引裂き防止手段を形成しても良い。引裂き防止手段の形状は、円形、四角形、三角形、直線状、Ｙ字状等に形成することができる。
【００３９】
締結手段としては、各種粘着剤からなる層、あるいはメカニカルファスニングシステムのフック材を設けることにより形成することができる。あるいは、両者を組み合わせて形成しても良い。締結手段を粘着剤層とフック材とを組み合わせて形成した場合には、ターゲットゾーンをいかなる材料で形成した場合でもファスニングテープをも良好に固定することができる。
【００４０】
本発明において粘着剤としては、ゴム系粘着剤、シリコーン系粘着剤、シリコーン合成ゴム系粘着剤、アクリル系粘着剤、シリコーン含有アクリル系粘着剤等の、従来からファスニングテープや廃棄用テープに用いられているものと同様のものを用いることができる。
【００４１】
また、メカニカルファスニングシステムのフック材としては、マジックテープ（登録商標）（ベルクロ社製）、クイックロン（登録商標）（ＹＫＫ社製）、マジクロス（登録商標）（カネボウベルタッチ社製）等、鍵状やキノコ形状などの凸状のフック材が多数付設されてなるシート等の公知のものを特に制限無く用いることができる。また、使用するフック材の大きさ、形状に関しては、係合するループ材と充分な係合力が得られれば良く、特に制限なく用いることができ、その一部が自由領域の側縁部からはみ出した状態て配置しても良い。
【００４２】
また、ターゲットゾーンとしては、締結手段が粘着剤層からなる場合には、シリコーン系剥離剤、長鎖アルキル系剥離剤等の各種剥離剤からなる層を設けることにより形成することができ、締結手段がメカニカルファスニングシステムのフック材からなる場合には、フック材と係合可能なループ材や不織布により形成することができる。
【００４３】
【実施例】
以下、図面により、本発明の使いすておむつを詳細に説明するが、本発明はこれらに限定されるものではない。
【００４４】
図１は、本発明の使い捨ておむつの一部切り欠き平面図である。
図１において、使いすておむつ１は、液透過性の表面シート２と、液不透過性の裏面シート３と、これら両シートの間に配置された吸収体４とから基本的に形成されており、前身頃５と、後身頃６と、これら両身頃の間に位置する股下部７とを有してなり、前後身頃の両側縁部には一対のサイドフラップ８、８が形成されており、また、後身頃６のサイドフラップ８の側縁部には、各々ファスニングテープ９が２個づつ配置されている。
ファスニングテープ９には、そのおむつ１の表面シート２が位置する側の面に締結手段１０が形成されており、締結手段１０が形成された面とは反対側の面である裏面シート３が位置する側の面に締結手段１０を着脱可能に固定するためのターゲットゾーン１１が形成されている。
また、おむつ１の前身頃５の裏面シート３表面にはファスニングテープ９を着脱可能に固定するためのフロントパッチ１２が配置されており、吸収体４の両側縁近傍の表面シート２上には立体ギャザー１３が形成されており、後身頃６の端縁部中央付近にはウエストギャザーを形成するための伸縮弾性部材１４が配置されており、股下部７の両側縁部にはレグギャザーを形成するための複数本の糸ゴムからなる伸縮弾性部材１５が配置されている。
なお、ファスニングテープのサイドフラップへの接合は、表面シート上でも良く、裏面シート上でも良く、あるいは、サイドフラップを形成する表面シートと裏面シートの間であっても良い。
【００４５】
図２は、図１とは異なる例を示す、本発明の使いすておむつの一部切り欠き平面図である。
図２において、使いすておむつ１の後身頃６のサイドフラップ８の側縁部には、各々ファスニングテープ９が２個づつ配置されており、おむつ１の長手方向端縁側に位置するテープ９はおむつ１の幅方向に平行に配置されており、股下部７側に位置するテープ９は、おむつ１の幅方向に平行な線１６に対する角度θが１０〜６０°になるように上向きに配置されている。股下部７側に位置するテープ９をこのような角度で配置することにより、腰周りと脚周りのフィット性が良好となり、漏れ防止効果が向上する。
なお、本実施例では、おむつの長手方向端縁側に位置するファスニングテープをおむつの幅方向に平行に配置した例を示したが、必要に応じておむつの上向きあるいは下向きになるように斜めに配置しても良い。
【００４６】
図３は、本発明の使いすておむつの使用状態の１例を示す斜視図である。
図３において、使いすておむつ１は、後身頃の両側縁に２個づつ配置されたファスニングテープ９が前身頃に配置されたフロントパッチ１２に固定されて、パンツ型に組み立てられている。この場合、股下部側のファスニングテープ９はフロントパッチ１２に直接固定されているが、おむつ端縁部側のファスニングテープ９はフロントパッチ１２に固定されると同時にその一部が股下部側のファスニングテープ９に形成されたターゲットゾーンに固定されている。
このように、本発明の使いすておむつは、一方のファスニングテープの上にもう一方のファスニングテープを重ねて固定することができるため、いかなる体形の着用者に対しても、装着性、フィット性に優れ、特に脚周りからの漏れ防止効果に優れている。
なお、図３では、後身頃の両側縁において、同じ側の側縁に配置されたファスニングテープ同士を固定した例を示したが、着用者の体形によっては、両側縁の相対する位置に配置したファスニングテープ同士が繋がる場合があり、その場合には、一方のファスニングテープの締結手段をもう一方のファスニングテープのターゲットゾーンに固定することも可能である。
【００４７】
図４は、本発明の使いすておむつにおいて使用されるファスニングテープの別の例を示す拡大図である。
図４において、ファスニングテープ９は、後身頃のサイドフラップの両側縁部に配置された広幅のテープがおむつの幅方向に延びる切り込み部１７によって二分され、おむつの端縁部側に位置するテープと股下部側に位置するテープの２つのファスニングテープが形成されている。さらに、各々のファスニングテープ９には、そのおむつの表面シートが位置する側の面に締結手段１０が形成されており、締結手段１０が形成された面とは反対側の面である裏面シートが位置する側の面に締結手段１０を着脱可能に固定するためのターゲットゾーン１１が形成されている。
なお、切り込み部１７の形状は、直線状であっても良く、Ｖ字状であっても良く、あるいはＵ字状であっても良く、特に限定されるものではない。
【００４８】
図５は、本発明の使いすておむつにおいて使用されるファスニングテープの図４とは別の例を示す拡大図である。
図５において、ファスニングテープ９は、後身頃のサイドフラップの両側縁部に配置された広幅のテープがおむつの幅方向に延びる切り込み部１７によって二分され、２つのファスニングテープが形成されているが、切り込み部１７は、おむつの幅方向に平行な線１６に対する角度θが１０〜６０°になるように、おむつ股下部の方向に斜めに形成されている。切り込み部１７をこの範囲の角度でおむつの股下部の方向に斜めに形成することにより、脚周りのフィット性が良好となり、漏れ防止効果を向上させることができる。
また、切込み部１７の端部には、ファスニングテープ９に不用意に大きな力が加わってテープが引裂かれるのを防止するための引裂き防止手段１８が形成されている。引裂き防止手段１８の形状は、円形、四角形、三角形、直線状、Ｙ字状等、特に制限なく形成することができる。
【００４９】
図６は、本発明の使いすておむつにおいて使用されるファスニングテープの別の例を示す拡大図である。
図６において、後身頃のサイドフラップの両側縁部には、各々広幅のファスニングテープ９が２個づつ配置されている。このように、広幅のファスニングテープを配置することにより、着用者にフィットする範囲が広くなり、漏れ防止効果を向上させることができる。
【００５０】
図７は、本発明の使いすておむつにおいて使用されるファスニングテープのさらに別の例を示す拡大図である。
図７において、ファスニングテープ９は、後身頃のサイドフラップにより形成されている。すなわち、サイドフラップの両側縁部が切り取られ、各々２箇所でファスニングテープが形成され、表面シート側に締結手段１０が形成され、裏面シート側にターゲットゾーン１１が形成されている。
【００５１】
【発明の効果】
以上説明したように、本発明の使いすておむつは、サイドフラップの側縁部に配置した２個のファスニングテープが、一方のファスニングテープを固定した上に他方のファスニングテープを重ねて固定することが可能であり、着用者の動きにもおむつを追随させやすく、おむつの弛みやずり落ちを軽減させることが可能であり、装着性、並びにフィット性に優れ、脚周りからの漏れ防止効果に優れたものである。
【図面の簡単な説明】
【図１】本発明の使いすておむつの一部切り欠き平面図。
【図２】図１とは異なる例を示す、本発明の使いすておむつの一部切り欠き平面図。
【図３】本発明の使いすておむつの使用状態の１例を示す斜視図。
【図４】本発明の使いすておむつにおいて使用されるファスニングテープの別の例を示す拡大図。
【図５】本発明の使いすておむつにおいて使用されるファスニングテープの図４とは別の例を示す拡大図。
【図６】本発明の使いすておむつにおいて使用されるファスニングテープの別の例を示す拡大図。
【図７】本発明の使いすておむつにおいて使用されるファスニングテープのさらに別の例を示す拡大図。
【符号の説明】
１．使いすておむつ
２．液透過性の表面シート
３．液不透過性の裏面シート
４．吸収体
５．前身頃
６．後身頃
７．股下部
８．サイドフラップ
９．ファスニングテープ
１０．締結手段
１１．ターゲットゾーン
１２．フロントパッチ
１３．立体ギャザー
１４．伸縮弾性部材
１５．伸縮弾性部材
１６．おむつの幅方向に平行な線
１７．切り込み部
１８．引裂き防止手段
θ：おむつの幅方向に平行な線に対する角度
【図１】
2004201894.tif 000003
【図２】
2004201894.tif 000004
【図３】
2004201894.tif 000005
【図４】
2004201894.tif 000006
【図５】
2004201894.tif 000007
【図６】
2004201894.tif 000008
【図７】
2004201894.tif 000009